【事件の表示】
　平成　７年特許願第１０８５６１号「平面表示装置」拒絶査定不服審判事件〔平成　８年１１月２２日出願公開、特開平　８−３０６３２７〕について、次のとおり審決する。
【結　論】
　本件審判の請求は、成り立たない。
【理　由】
１．手続きの経緯
  本件は、平成７年５月２日にされた特許出願（平成７年特許願第１０８５６１号、以下「本願」という）につき、拒絶査定が平成１３年９月１３日付けでされ、平成１３年９月１８日に発送されたところ、拒絶査定に対する審判が平成１３年１０月１７日に請求され、手続補正書が平成１３年１１月１６日に提出されたものである。
  
２．平成１３年１１月１６日付けの手続補正についての補正却下の決定
（１）補正却下の決定の結論
  平成１３年１１月１６日付けの手続補正を却下する。
　
（２）理由
　ア．補正の内容
　上記手続補正は、特許請求の範囲について、
「【請求項１】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極およびゲート電極間に、所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有する平面表示装置であって、前記直流電圧印加手段は、選択されたマイクロカソードのエミッション電流が、選択されないマイクロカソードのエミッション電流の１０倍以上となるように、前記エミッタ電極およびゲート電極間に直流バイアス電圧を印加する手段である平面表示装置。
　【請求項２】選択されたマイクロカソードのエミッタ電極およびゲート電極間に印加される電圧をＶとし、前記第１の電圧印加手段により、選択および非選択に関係なく、マイクロカソードのゲート電極に印加される電圧をαとし、前記第２の電圧印加手段により、選択および非選択に関係なく、マイクロカソードのエミッタ電極に印加される電圧をβとし、前記直流電圧印加手段により印加される電圧に重ねて、前記選択電圧印加手段により、選択されたゲート電極に印加される電圧をΔαとし、選択されたエミッタ電極に印加される電圧をΔβとした場合に、前記αの絶対値と、βの絶対値と、Δαの絶対値と、Δβの絶対値との和が、前記Ｖであり、前記αの絶対値と、βの絶対値と、Δαの絶対値との和が、Ｖ／２以上であり、前記αの絶対値と、βの絶対値と、Δβの絶対値との和が、Ｖ／２以上であることを特徴とする請求項１記載の平面表示装置。
　【請求項３】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極とを有する平面表示装置を駆動制御する方法であって、ゲート電極およびエミッタ電極に独立に電圧を印加して、選択および非選択に関係なく、前記エミッタ電極およびゲート電極間に、所定値以下のエミッション電流となる直流バイアス電圧を印加し、選択されたマイクロカソードのエミッタ電極およびゲート電極に印加される電圧を独立して変化させ、選択されたマイクロカソードのエミッタ電極およびゲート電極間には、前記直流バイアス電圧に重ねて、マイクロカソードから電子を放出させる程度であって、選択されたマイクロカソードのエミッション電流が、選択されないマイクロカソードのエミッション電流の１０倍以上となるような電圧を印加するように、前記エミッタ電極およびゲート電極を走査する平面表示装置の駆動方法。」
を、
「【請求項１】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極および前記ゲート電極間に所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有し、前記直流電圧印加手段は、選択されたマイクロカソードのエミッション電流が、選択されないマイクロカソードのエミッション電流の１０倍以上となるように、前記エミッタ電極およびゲート電極間に直流バイアス電圧を印加し、選択されたマイクロカソードのエミッタ電極およびゲート電極間に印加される電圧をＶとし、前記第１の電圧印加手段により、選択および非選択に関係なく、マイクロカソードのゲート電極に印加される電圧をαとし、前記第２の電圧印加手段により、選択および非選択に関係なく、マイクロカソードのエミッタ電極に印加される電圧をβとし、前記直流電圧印加手段により印加される電圧に重ねて、前記選択電圧印加手段により、選択されたゲート電極に印加される電圧をΔαとし、選択されたエミッタ電極に印加される電圧をΔβとした場合に、前記αの絶対値と、前記βの絶対値と、前記Δαの絶対値と、前記Δβの絶対値との和が、前記Ｖであり、前記αの絶対値と、前記βの絶対値と、前記Δαの絶対値との和が、Ｖ／２以上であることを特徴とする、平面表示装置。
　【請求項２】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極および前記ゲート電極間に所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有し、前記直流電圧印加手段は、選択されたマイクロカソードのエミッション電流が選択されないマイクロカソードのエミッション電流の１０倍以上となるように、前記エミッタ電極およびゲート電極間に直流バイアス電圧を印加し、選択されたマイクロカソードのエミッタ電極およびゲート電極間に印加される電圧をＶとし、前記第１の電圧印加手段により、選択および非選択に関係なく、マイクロカソードのゲート電極に印加される電圧をαとし、前記第２の電圧印加手段により、選択および非選択に関係なく、マイクロカソードのエミッタ電極に印加される電圧をβとし、前記直流電圧印加手段により印加される電圧に重ねて、前記選択電圧印加手段により、選択されたゲート電極に印加される電圧をΔαとし、選択されたエミッタ電極に印加される電圧をΔβとした場合に、前記αの絶対値と、前記βの絶対値と、前記Δαの絶対値と、前記Δβの絶対値との和が、前記Ｖであり、前記αの絶対値と、前記βの絶対値と、前記Δβの絶対値との和が、Ｖ／２以上であることを特徴とする、平面表示装置。
　【請求項３】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極および前記ゲート電極間に所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有し、前記直流電圧印加手段は、選択されたマイクロカソードのエミッション電流が、選択されないマイクロカソードのエミッション電流の１０倍以上となるように、前記エミッタ電極およびゲート電極間に直流バイアス電圧を印加し、選択されたマイクロカソードのエミッタ電極およびゲート電極間に印加される電圧をＶとし、前記第１の電圧印加手段により、選択および非選択に関係なく、マイクロカソードのゲート電極に印加される電圧をαとし、前記第２の電圧印加手段により、選択および非選択に関係なく、マイクロカソードのエミッタ電極に印加される電圧をβとし、前記直流電圧印加手段により印加される電圧に重ねて、前記選択電圧印加手段により、選択されたゲート電極に印加される電圧をΔαとし、選択されたエミッタ電極に印加される電圧をΔβとした場合に、前記αの絶対値と、前記βの絶対値と、前記Δαの絶対値と、前記Δβの絶対値との和が、前記Ｖであり、前記αの絶対値と、前記βの絶対値と、前記Δαの絶対値との和が、Ｖ／２以上であり、前記αの絶対値と、前記βの絶対値と、前記Δβの絶対値との和が、Ｖ／２以上であることを特徴とする、平面表示装置。
　【請求項４】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極および前記ゲート電極間に所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有する平面表示装置を駆動制御する方法であって、前記直流電圧印加手段は、選択されたマイクロカソードのエミッション電流が、選択されないマイクロカソードのエミッション電流の１０倍以上となるように、前記エミッタ電極およびゲート電極間に直流バイアス電圧を印加し、　選択されたマイクロカソードのエミッタ電極およびゲート電極間に印加される電圧をＶとし、前記第１の電圧印加手段により、選択および非選択に関係なく、マイクロカソードのゲート電極に印加される電圧をαとし、前記第２の電圧印加手段により、選択および非選択に関係なく、マイクロカソードのエミッタ電極に印加される電圧をβとし、前記直流電圧印加手段により印加される電圧に重ねて、前記選択電圧印加手段により、選択されたゲート電極に印加される電圧をΔαとし、選択されたエミッタ電極に印加される電圧をΔβとした場合に、前記αの絶対値と、前記βの絶対値と、前記Δαの絶対値と、前記Δβの絶対値との和が、前記Ｖであり、前記αの絶対値と、前記βの絶対値と、前記Δαの絶対値との和が、Ｖ／２以上であるように、駆動制御することを特徴とする、平面表示装置を駆動制御する方法。
　【請求項５】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極および前記ゲート電極間に所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有する平面表示装置を駆動制御する方法であって、前記直流電圧印加手段は、選択されたマイクロカソードのエミッション電流が、選択されないマイクロカソードのエミッション電流の１０倍以上となるように、前記エミッタ電極およびゲート電極間に直流バイアス電圧を印加し、選択されたマイクロカソードのエミッタ電極およびゲート電極間に印加される電圧をＶとし、前記第１の電圧印加手段により、選択および非選択に関係なく、マイクロカソードのゲート電極に印加される電圧をαとし、前記第２の電圧印加手段により、選択および非選択に関係なく、マイクロカソードのエミッタ電極に印加される電圧をβとし、前記直流電圧印加手段により印加される電圧に重ねて、前記選択電圧印加手段により、選択されたゲート電極に印加される電圧をΔαとし、選択されたエミッタ電極に印加される電圧をΔβとした場合に、前記αの絶対値と、前記βの絶対値と、前記Δαの絶対値と、前記Δβの絶対値との和が、前記Ｖであり、前記αの絶対値と、前記βの絶対値と、前記Δβの絶対値との和が、Ｖ／２以上であるように、駆動制御することを特徴とする、平面表示装置を駆動制御する方法。
　【請求項６】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極および前記ゲート電極間に所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有する平面表示装置を駆動制御する方法であって、前記直流電圧印加手段は、選択されたマイクロカソードのエミッション電流が、選択されないマイクロカソードのエミッション電流の１０倍以上となるように、前記エミッタ電極およびゲート電極間に直流バイアス電圧を印加し、選択されたマイクロカソードのエミッタ電極およびゲート電極間に印加される電圧をＶとし、前記第１の電圧印加手段により、選択および非選択に関係なく、マイクロカソードのゲート電極に印加される電圧をαとし、前記第２の電圧印加手段により、選択および非選択に関係なく、マイクロカソードのエミッタ電極に印加される電圧をβとし、前記直流電圧印加手段により印加される電圧に重ねて、前記選択電圧印加手段により、選択されたゲート電極に印加される電圧をΔαとし、選択されたエミッタ電極に印加される電圧をΔβとした場合に、前記αの絶対値と、前記βの絶対値と、前記Δαの絶対値と、前記Δβの絶対値との和が、前記Ｖであり、前記αの絶対値と、前記βの絶対値と、前記Δαの絶対値との和が、Ｖ／２以上であり、前記αの絶対値と、前記βの絶対値と、前記Δβの絶対値との和が、Ｖ／２以上であるように、駆動制御することを特徴とする、平面表示装置を駆動制御する方法。」
に補正する補正事項を含んでいる。
　
　イ．補正の目的の適否
　上記補正事項は、請求項の数が補正前の３から補正後の６へと増加するものであり、この請求項の数の増加は択一的引用形式の変更により形式的に増加したものではないので、特許請求の範囲の減縮を目的とするものには該当せず、また、請求項の削除、誤記の訂正、明りょうでない記載の釈明を目的とするものにも該当しないことは明らかである。
　したがって、上記手続補正による特許請求の範囲の補正は、特許法第１７条の２第３項各号に掲げる事項のいずれをも目的とするものではない。
　
　ウ．新規事項の有無
　上記補正事項により、補正後の請求項１、４には、「前記αの絶対値と、前記βの絶対値と、前記Δαの絶対値との和が、Ｖ／２以上」であること、同じく補正後の請求項２、５には「前記αの絶対値と、前記βの絶対値と、前記Δβの絶対値との和が、Ｖ／２以上」であることが単独で限定されたものとして記載されている。
　しかしながら、本願の願書に最初に添付した明細書及び図面には、関連する記載として、特許請求の範囲の請求項４に「前記αの絶対値と、前記βの絶対値と、前記Δαの絶対値との和が、Ｖ／２以上であり、前記αの絶対値と、前記βの絶対値と、前記Δβの絶対値との和が、Ｖ／２以上であることを特徴とする」と記載されており、段落【０００９】に「前記αの絶対値と、前記βの絶対値と、前記Δαの絶対値との和が、Ｖ／２以上であり、前記αの絶対値と、前記βの絶対値と、前記Δβの絶対値との和が、Ｖ／２以上であることが好ましい」と記載されており、段落【００２１】に「本実施例では、αの絶対値と、βの絶対値と、Δαの絶対値と、Δβの絶対値との和が、引出し電圧Ｖｅｘｔ＝１００Ｖである。また、αの絶対値と、βの絶対値と、Δαの絶対値との和が、８３Ｖであり、Ｖｅｘｔ／２以上であり、αの絶対値と、βの絶対値と、Δβの絶対値との和が、８２Ｖであり、Ｖｅｘｔ／２以上である。」と記載されており、段落【００４４】に「本実施例では、αの絶対値と、βの絶対値と、Δαの絶対値と、Δβの絶対値との和が、引出し電圧Ｖｅｘｔ＝１００Ｖである。また、αの絶対値と、βの絶対値と、Δαの絶対値との和が、６５Ｖであり、Ｖｅｘｔ／２以上であり、αの絶対値と、βの絶対値と、Δβの絶対値との和が、６５Ｖであり、Ｖｅｘｔ／２以上である。」と記載されているのみである。そうすると、本願の願書に最初に添付した明細書及び図面には、「前記αの絶対値と、前記βの絶対値と、前記Δαの絶対値との和が、Ｖ／２以上」であり、かつ、「前記αの絶対値と、前記βの絶対値と、前記Δβの絶対値との和が、Ｖ／２以上」である態様が記載されているのみであって、「前記αの絶対値と、前記βの絶対値と、前記Δαの絶対値との和が、Ｖ／２以上」であること、「前記αの絶対値と、前記βの絶対値と、前記Δβの絶対値との和が、Ｖ／２以上」であることが、それぞれ単独で限定された態様は記載されていないというべきである。
　したがって、上記手続補正で補正された、請求項１、４の「前記αの絶対値と、前記βの絶対値と、前記Δαの絶対値との和が、Ｖ／２以上」であること、同じく補正後の請求項２、５の「前記αの絶対値と、前記βの絶対値と、前記Δβの絶対値との和が、Ｖ／２以上」であることが単独で限定された点は、本願の願書に最初に添付した明細書及び図面に記載された事項の範囲内のものとはいえず、特許法第１７条の２第２項で準用する第１７条第２項の規定を満たしていない。
　
（３）補正却下の決定についてのむすび
  以上のとおりであるから、上記手続補正は、平成６年法律第１１６号による改正前の特許法第１７条の２第３項及び第１７条の２第２項で準用する第１７条第２項の規定に違反するものであり、同法第１５９条第１項において準用する同法第５３条第１項の規定により却下すべきものである。
  
３．本願発明
  平成１３年１１月１６日付け手続補正は上記のとおり却下されたので、本願の請求項１に係る発明（以下、「本願発明」という）は、平成１３年８月２７日付け手続補正書により補正された明細書及び図面の記載からみて、その特許請求の範囲の請求項１に記載された次のとおりのものである。
「【請求項１】行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極およびゲート電極間に、所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有する平面表示装置であって、前記直流電圧印加手段は、選択されたマイクロカソードのエミッション電流が、選択されないマイクロカソードのエミッション電流の１０倍以上となるように、前記エミッタ電極およびゲート電極間に直流バイアス電圧を印加する手段である平面表示装置。」
　
４．先願明細書記載の発明
　原査定の拒絶の理由で引用された、本願の出願の日前の特許出願であって、その出願後に出願公開された他の出願である、特願平６−１３８９１２号（特開平８−６５２１号公報参照）の願書に最初に添付された明細書又は図面（以下、「先願明細書」という）には、以下の事項が図面とともに記載されている。
　ア．「この発明は、蛍光表示装置およびその駆動方法に関し、さらに詳細には電界放出型の素子をカソードに用いた蛍光表示に好適な新しい装置構成およびその駆動方法に関する。」（段落【０００１】）、
　イ．「従来から真空マイクロデバイスとして用いられている微小冷陰極のうち電界放出陰極の構造を図１２に示す。これは、同図に示すように、尖ったエミッタティップ１０１、電子引き出し用のゲート電極１０２、エミッタティップに負の電圧をかけるエミッタ電極１０３及びゲートとエミッタを隔てる絶縁膜１０４とから構成される。エミッタティップ１０１とゲート電極１０２の間に電圧を印加するとエミッタティップのコーン先端に大きな電界が加わり電界放出がおこる。・・・このような電界放出陰極を用いたフラットパネルディスプレイ（蛍光表示装置）の構造を図１３に示す。下部のカソード板１０６上にストライプ状のエミッタ電極１０３を形成し、絶縁膜を介して、エミッタ電極と直交して引出し電圧を与えるゲート電極１０２を形成する。両者の交点にＦＥＡ（ＦｉｅｉｄＥｍｉｔｔｅｒＡｒｒａｙ）を形成し、上部のガラス基板すなわちアノード板に形成された蛍光体に放出電子を当てて、その発光により文字等を表示する。」（段落【０００３】〜【０００４】）、
　ウ．「【実施例】以下、図面に示す実施例に基づいてこの発明を詳述する。・・・図２に、この発明の蛍光表示装置の表示パネル部分の一実施例の斜視図を示す。・・・同図に示すように、表示パネル部分はアノード板２１とカソード板２２とから構成される。具体的には、アノード板２１とカソード板２２とは、スペーサ（図示せず）によって所定の間隔をあけて対向配置され、かつ周囲をフリット材で封止されて、その内部が真空な気密容器を構成する。カソード板２２には、発色させる画素位置を選択するためのデータ信号線であるエミッタ電極ライン２４とアドレス線であるゲート電極ライン２５が直交して置かれており、その交点に、電界放出陰極アレイである複数（図示では４個であるが、実用上は１０００個程度）のエミッタティップ２３が形成されている。・・・電界放出陰極アレイはエミッタ電極ライン２４及びゲート電極ライン２５に沿ってそれぞれ複数配列され、すなわちカソード板２２の上でマトリクス配列されている。一方、アノード板２１には、エミッタ電極ライン２４と平行に透明導電膜が帯状のパターン（電極）として形成され、その帯状パターンの上に、３原色の蛍光体が塗布されている。」（段落【００２６】〜【００２８】）、
　エ．「一方、カソード板２２上のエミッタ信号ライン２４は、アノード板上の電極部２７の２本の帯の幅に１本のエミッタ電極ライン２４が上下方向においてちょうど対応するように配置される。・・・たとえば、電極部ａ１１とａ２１の下方に、これらの帯状パターンと平行に緑赤用のエミッタ電極ラインＶｅ1が配置され、電極部ａ１２とａ２２の下方に、これらの帯状パターンと平行に、緑青用のエミッタ電極ラインＶｅ２が配置される。すなわち、エミッタ電極ライン２４は、緑赤用（Ｖｅ１、Ｖｅ３、……）と緑青用（Ｖｅ２、Ｖｅ４・・・）が交互に並んでいる。・・・ここで、表示の単位となる一画素は、カソード側のエミッタ電極ラインとゲート電極ラインの交点に存在するが、図２に示す実施例では、２本のエミッタ電極ライン（たとえばＶｅ１とＶｅ２）と、１本のゲート電極ライン（たとえばＶｇ１）とが交差する領域がこの一画素の表示領域となる。」（段落【００３３】〜【００３５】）、
　オ．「次にこの発明の蛍光表示装置の駆動方法について述べる。図３に、この発明の蛍光表示装置の駆動回路のブロック図を示す。同図において、アノード板３１は、図２におけるアノード板２１に対応するものであり、２組のアノードＡ１、Ａ２が図のように配置される。・・・カソード板３２は、図２におけるカソード板２２に対応するものであり、エミッタ電極ラインＶｅ１、Ｖｅ２・・・はエミッタドライバ３５により駆動制御され、ゲート電極ラインＶｇ１、Ｖｇ２・・・はゲートドライバ３４により駆動制御される。・・・表示制御部３６は、入力される映像信号に応じて表示パネル上の発色されるべき表示位置の制御をするものであり、ドライバコントロール部３６ａ、色選択部３６ｂ及びフレームメモリ３６ｃとから構成される。」（段落【００３７】〜【００４１】）、
　カ．「アノードＡ１及びＡ２にかけられる電圧は、たとえば±４００Ｖ程度の電圧であり、アノードＡ１に＋４００Ｖが印加されるときはアノードＡ２には−４００Ｖが印加され、逆にアノードＡ１に−４００Ｖが印加されるときは、アノードＡ２には＋４００Ｖが印加される。・・・一画素について言えば、緑表示フィールドの期間で２つの緑色に発色する部分、たとえば図２のエミッタ電極ライン上の電極部の帯ａ１１とａ１２の上でゲート電極ラインＶｇ１と交差する部分の表示が行われ、さらに、次の赤青表示フィールドの期間で、赤及び青に発色する部分、たとえば図２のエミッタ電極ライン上の電極部の帯ａ２１とａ２２の上でゲート電極ラインＶｇ１と交差する部分の表示が行われる。・・・また、ドライバコントロール部３６ａは、カソード板３２上の表示すべき画素の位置を選択するために、ゲートドライバ３４に対してアドレス信号を定期的に順次供給する。ゲートドライバ３４は供給されたアドレス信号に対応するゲート電極ラインを選択して、そのゲート電極ラインのみに他の非選択のゲート電極ラインに印加する電圧（たとえば、２０Ｖ）よりも高い電圧（たとえば、Ｖｇｈ＝５０Ｖ）を印加する。・・・たとえば、ゲートドライバ３４は、まずゲート電極ラインＶｇ１のみに所定の時間Ｖｇｈの電圧を印加し、次にゲート電極ラインＶｇ２のみに所定の期間Ｖｇｈの電圧を印加し、順次同様にゲート電極ラインＶｇ３、Ｖｇ４・・・に対して所定の期間Ｖｇｈの電圧を印加させていく。ここで、他の非選択のゲート電極ラインには、エミッタティップから電子が放出されない電圧が印加される。・・・また、このゲートドライバの駆動に同期して、ドライバコントロール部３６ａは、色選択部３６ｂを駆動し、色選択部３６ｂはフレームメモリ３６ｃに記憶された色データを順次取り出す。さらに、色選択部３６ｂは、取り出した色データに対応する位置のエミッタ電極ラインを選択するための信号をエミッタドライバ３５に供給する。・・・エミッタドライバ３５は供給された信号に対応するエミッタ電極ラインに電子を放出するための負電圧を印加する。このとき、発色させたい画素がゲート電極ラインによって選択されている期間と同期して、エミッタ電極ラインに電圧が印加される。・・・すなわち、高電圧（Ｖｇｈ）を印加されたゲート電極ラインと負電圧を印加されたエミッタ電極ラインによって選択される交差部分にあるエミッタティップより電子が放出され、その部分に相当する画素が発色される。以上が、この発明の蛍光表示装置の駆動回路の構成とその駆動方法の概略である。」（段落【００４６】〜【００５２】）、
　キ．「次に、この発明の駆動回路の駆動パルス波形の実施例について図４及び図５を用いて説明する。図４は、２×４画素の蛍光表示装置の平面図を示したものである。ここで、図４において、アノード板２１上には、アノード電極ＶａとＶｂが配置され、それぞれ一端が図示していない昇圧トランスの２次側に接続される。・・・また、アノード電極Ｖａ、Ｖｂは、くし形状の帯として延びており、Ｖａに接続される４本の帯ａ１、ａ２、ａ３、ａ４と、Ｖｂに接続される４本の帯ｂ１、ｂ２、ｂ３、ｂ４とで形成され、それぞれの帯は、くし形状に入り込んでいる。 アノード電極Ｖａの帯ａ１、ａ２、ａ３、ａ４には、緑色に発色する蛍光体が塗布されているものとし、アノード電極Ｖｂの帯ｂ１、ｂ３には赤色に発色する蛍光体が塗布され、アノード電極の帯ｂ２、ｂ４には青色に発色する蛍光体が塗布されているものとする。・・・また、図４においてカソード板２２上には、４本のエミッタ電極ライン２４としてＶｅ１、Ｖｅ２、Ｖｅ３、Ｖｅ４が配置され、４本の
ゲート電極ライン２５としてＶｇ１、Ｖｇ２、Ｖｇ３、Ｖｇ４が配置される。エミッタ電極ライン２４とゲート電極ライン２５は直交し、これらの交差部に図示していないエミッタティップが存在する。・・・たとえば、画素Ｐ１１において、アノード電極Ｖａに所定の正電圧が印加されている状態で、エミッタ電極ラインＶｅ１、Ｖｅ２に所定の負電圧が印加され、かつゲート電極ラインＶｇ１に電子を放出させる所定の電圧が印加された場合を考える。この場合、エミッタ電極ラインＶｅ１とＶｅ２とから電子が放出され画素Ｐ１１の発光部のうち、緑Ｇ１と緑Ｇ２に電子が引きつけられて、画素Ｐ１１は緑色に発色する。・・・逆に、アノード電極Ｖｂに所定の正電圧が印加され、アノード電極Ｖａにこれと逆極性の電圧が印加されている場合には、画素Ｐ１１において、発光部赤Ｒ１と青Ｂ２を発光させることが可能である。」（段落【００５４】〜【００６１】）、
　ク．「以上が、ある画素を発色させるための駆動方法の説明であるが、図５に図４の２×４の画素の蛍光表示装置における駆動信号のタイムチャートの一実施例を示す。図５には、図４の平面図の左の列の画素の上から順に、白、赤、緑、青を表示し、右の列の画素の上から順に青、黒、赤、緑を表示しているときの駆動パルス波形を示している。・・・同図において、Ｖａ、Ｖｂはアノード電極に印加される電圧波形を示し、Ｖｇ１〜Ｖｇ４は、ゲート電極ラインに印加される電圧波形を示し、Ｖｅ１〜Ｖｅ４はエミッタ電極ラインに印加される電圧波形を示している。・・・図５において、ゲート電極ラインは、各フィールド内で一定時間間隔で走査される。すなわち、Ｖｇ１、Ｖｇ２、Ｖｇ３、Ｖｇ４の順序で一定時間ごとにエミッタから電子を引き出すことのできる電圧、たとえば５０Ｖの電圧が印加される。ここで電圧を印加するゲート電極ラインの選択は、ゲートドライバ３４が、ドライバコントロール部３６ａから入力されるアドレス信号をもとに行う。・・・図５の緑表示フィールドにおいては、ゲート電極ラインＶｇ１に所定の電圧が印加されているときに、エミッタ電極ラインＶｅ１及びＶｅ２に電子を放出させるための負電圧が印加され、ゲート電極ラインＶｇ３に所定の電圧が印加されているときに、エミッタ電極ラインＶｅ１及びＶｅ２に負電圧が印加される。また、ゲート電極ラインＶｇ４に電圧が印加されているときに、エミッタ電極ラインＶｅ３及びＶｅ４に負電圧が印加されている。すなわち、緑表示フィールドにおいては、画素Ｐ１１、Ｐ１３及びＰ３４の中の緑発光部が発光される。・・・次に、赤青表示フィールドにおいては、赤の発色をさせるために、ゲート電極ラインＶｇ１のタイミングでエミッタ電極ラインＶｅ１に負電圧が印加され、さらに、ゲート電極ラインＶｇ２のタイミングでエミッタ電極ラインＶｅ１に、ゲート電極ラインＶｇ３のタイミングでエミッタ電極ラインＶｅ３にそれぞれ負電圧が印加される。・・・また、青の発色をさせるために、ゲート電極ラインＶｇ１のタイミングでエミッタ電極ラインＶｅ２及びＶｅ４に負電圧が印加され、さらにゲート電極ラインＶｇ４のタイミングでエミッタ電極ラインＶｅ２に負電圧が印加される。すなわち、赤青表示フィールドにおいては、まずＶｇ１のタイミングで画素Ｐ１１の中の赤発光部と画素Ｐ１１とＰ３１の青発光部が発光される。・・・次に、Ｖｇ２のタイミングで画素Ｐ１２の中の赤発光部が発光され、Ｖｇ３のタイミングで画素Ｐ３３の中の赤発光部が発光され、さらにＶｇ４のタイミングで画素Ｐ１４の中の青発光部が発光される。したがって、画素Ｐ１１について１フレーム内で見れば、発光部Ｇ１、Ｇ２、Ｒ１、Ｂ２すべてが発光されるので、白色として発色される。・・・画素Ｐ１２とＰ３２については、１フレーム内で見れば、赤発光部のみが発光されるので赤色として発色される。以下同様にして、画素Ｐ１３とＰ３４は２つの緑発光部が発光して緑色に、画素Ｐ１４とＰ３１は青発光部が発光して青色に発色される。画素Ｐ３３については、発色されないので黒色として見える。以上がこの発明における蛍光表示装置の駆動方法の実施例である。」（段落【００６２】〜【００７１】）
　
５．対比・判断
　本願発明と先願明細書に記載された発明とを対比する。
　ア．先願明細書には、「その交点に、電界放出陰極アレイである複数（図示では４個であるが、実用上は１０００個程度）のエミッタティップ２３が形成される」（上記摘記事項ウ．参照）と記載されており、本願発明の行列状に配列されたマイクロカソードに相当する。また、先願明細書記載の「蛍光表示装置」が、本願発明の「平面表示装置」に相当することも明らかである。
　イ．先願明細書記載の「ゲート電極ライン、エミッタ電極ライン」が、本願発明の「ゲート電極、エミッタ電極」に相当し、先願明細書記載の「ゲートドライバ、エミッタドライバ」が、本願発明の「第１の電圧印加手段、第２の電圧印加手段」に相当する。
　ウ．先願明細書には、「ゲートドライバ３４は供給されたアドレス信号に対応するゲート電極ラインを選択して、そのゲート電極ラインのみに他の非選択のゲート電極ラインに印加する電圧（たとえば、２０Ｖ）よりも高い電圧（たとえば、Ｖｇｈ＝５０Ｖ）を印加する。・・・ここで、他の非選択のゲート電極ラインには、エミッタティップから電子が放出されない電圧が印加される」こと、「エミッタドライバ３５は供給された信号に対応するエミッタ電極ラインに電子を放出するための負電圧を印加する」こと及び「このとき、発色させたい画素がゲート電極ラインによって選択されている期間と同期して、エミッタ電極ラインに電圧が印加される。・・・すなわち、高電圧（Ｖｇｈ）を印加されたゲート電極ラインと負電圧を印加されたエミッタ電極ラインによって選択される交差部分にあるエミッタティップより電子が放出され、その部分に相当する画素が発色される」こと（上記摘記事項カ．参照）が記載されている。これらの記載によれば、先願明細書記載のエミッタ電極ラインにはゲート電極ラインに対して負電圧が印可されること、選択及び非選択に関係なくエミッタ電極ライン及びゲート電極ライン間に直流バイアス電圧が印可されていることが、明らかであり、先願明細書記載の「他の非選択のゲート電極ラインには、エミッタティップから電子が放出されない電圧が印加される」ことは、本願発明の「所定値以下のエミッション電流となる直流バイアス電圧を印可する」ことと異ならない。さらに、先願明細書記載のものにおいても、エミッタ電極ラインおよびゲート電極ラインに印可される電圧は独立して変化されるものであり、また、先願明細書に記載された「非選択のゲート電極ラインには、エミッタティップから電子が放出されない電圧が印加され」かつ「高電圧（Ｖｇｈ）を印加されたゲート電極ラインと負電圧を印加されたエミッタ電極ラインによって選択される交差部分にあるエミッタティップより電子が放出され」ることは、本願発明の「選択されたマイクロカソードのエミッタ電極およびゲート電極間に、前記直流バイアス電圧に重ねて、マイクロカソードから電子を放出させる程度の電圧を印加する選択電圧印加手段とを有する」ことに相当する。
　エ．本願発明は、選択されたマイクロカソードのエミッション電流が、選択されないマイクロカソードのエミッション電流の１０倍以上となるように、前記エミッタ電極およびゲート電極間に直流バイアス電圧を印加するのに対して、先願明細書記載のものは、他の非選択のゲート電極ラインには、エミッタティップから電子が放出されない電圧が印加されるものである。
　これらの考察ア．〜エ．によれば、両者は、「行列状に配列されたマイクロカソードと、マイクロカソードから選択的に電子が放出されるように制御するゲート電極と、選択された一以上のマイクロカソードに、前記ゲート電極に対して負電圧を印加するためのエミッタ電極と、前記ゲート電極に電圧を印加する第１の電圧印加手段と、前記エミッタ電極に電圧を印加する第２の電圧印加手段とを含む直流電圧印加手段であって、選択および非選択に関係なく、前記エミッタ電極およびゲート電極間に、所定値以下のエミッション電流となる直流バイアス電圧を印加する直流電圧印加手段と、選択されたマイクロカソードのエミッタ電極およびゲート電極に印加される電圧を独立して変化させ、選択されたマイクロカソードのエミッタ電極およびゲート電極間に、前記直流バイアス電圧に重ねて、マイクロカソードから電子を放出させる程度の電圧を印加する選択電圧印加手段とを有する平面表示装置」である点で一致し、次の相違点で相違する。
　相違点：本願発明は、直流電圧印加手段は、選択されたマイクロカソードのエミッション電流が、選択されないマイクロカソードのエミッション電流の１０倍以上となるように、前記エミッタ電極およびゲート電極間に直流バイアス電圧を印加する手段であるのに対して、先願明細書記載のものは、非選択のゲート電極ラインには、エミッタティップから電子が放出されない電圧が印加されるものである点。
　上記相違点について検討するに、先願明細書記載のものにおいては、非選択のゲート電極ラインには、エミッタティップから電子が放出されない電圧が直流バイアス電圧として印加されるのであるから、いわゆる選択されないマイクロカソードのエミッション電流は０であり、他方、選択されたマイクロカソードにはエミッション電流が流れることは明らかである。そうすると、先願明細書記載のものにおいても、選択されたマイクロカソードのエミッション電流が、選択されないマイクロカソードのエミッション電流の１０倍以上となることは明らかである。また、本願明細書中の第２実施例に関する段落【００１２】の記載「エミッタ電極とゲート電極との間の電圧が１００Ｖでは、マイクロカソードからのエミッション電流は、図２に示すように、１０μＡ程度であり、エミッタ電極とゲート電極との間の電圧が６５Ｖでは、図２に示すように、１０μＡの約１／１０以下である。」及び図２のグラフに示されるエミッタ電極とゲート電極との間の電圧が６５Ｖでのエミッション電流がほぼ０μＡであることを考慮すれば、１０倍以上とした点に臨界的意義を見い出すこともできない。したがって、上記相違点は、実質的な相違ではない。
　そして、作用効果についてみれば、本願明細書には、段落【００１２】に「選択されないマイクロカソードのエミッション電流は、選択されたマイクロカソードのエミッション電流の１／１０以下であれば、適正な輝度とコントラストが得ることができる」、段落【００１３】に「直流バイアス電圧に対する極微小な信号電圧の重ね合わせにより行うため、オン電圧／オフ電圧の振幅を小さくすることができ、マイクロカソードを有する平面表示装置の低消費電力化を図ることができる。また、従来と同じ消費電力では、駆動周波数を高く設定することが可能となる。」、段落【００５０】に「本発明によれば、画素の選択を、直流バイアス電圧に対する極微小な信号電圧の重ね合わせにより行うため、オン電圧／オフ電圧の振幅を小さくすることができ、マイクロカソードを有する平面表示装置の低消費電力化を図ることができる。また、従来と同じ消費電力では、駆動周波数を高く設定することが可能となる。」と記載されている。そうすると、先願明細書記載のものにおいても、直流バイアス電圧が印加されかつ選択されたマイクロカソードのエミッション電流が、選択されないマイクロカソードのエミッション電流の１０倍以上であるので、同様の作用効果が奏されることが明らかである。
　したがって、本願発明は、先願明細書に記載された発明と同一であり、しかも、本願発明の発明者が上記先願明細書に記載された発明の発明者と同一であるとも、また、本願の出願時に、その出願人が上記他の出願の出願人と同一であるとも認められない。
　
６．むすび
  以上のとおりであるから、本願発明（請求項１に係る発明）は、特許法２９条の２の規定により特許を受けることができないものであるので、その余の請求項に係る発明についての判断を示すまでもなく、本願は、拒絶をすべきものである。
  よって、結論のとおり審決する。